(57)【要約】【課題】本発明は水晶セードを開示した。【解決手段】天井を含み、前記天井の中に装着ブロックを装着でき、前記装着ブロックの中には下方に開口した第一チャンバが設置され、前記第一チャンバの中には滑り軸受が回転可能に設置され、前記滑り軸受の中には上下に貫通した滑り軸受チャンバが設置され、前記第一チャンバの外側には回転チャンバが連通するように設置され、前記滑り軸受の外表面には前記回転チャンバの中に位置した第一歯車が固定的に設置され、前記回転チャンバの左側端壁には第二チャンバが連通するように設置され、前記第二チャンバの底壁にはモータが固定的に設置され、前記第二チャンバの頂壁には水溝が設置され、前記水溝の中には水滴り機構が設置される。【選択図】図１
2020177898.tif 000002
【特許請求の範囲】
【請求項１】
正面視で、天井を含み、前記天井の中に装着ブロックを装着でき、前記装着ブロックの中には下方に開口した第一チャンバが設置され、前記第一チャンバの中には滑り軸受が回転可能に設置され、前記滑り軸受の中には上下に貫通した滑り軸受チャンバが設置され、前記第一チャンバの外側には回転チャンバが連通するように設置され、前記滑り軸受の外表面には前記回転チャンバの中に位置した第一歯車が固定的に設置され、前記回転チャンバの左側端壁には第二チャンバが連通するように設置され、前記第二チャンバの底壁にはモータが固定的に設置され、前記第二チャンバの頂壁には水溝が設置され、前記水溝の中には水滴り機構が設置され、前記水溝と前記第二チャンバとの間には前記モータと伝動可能に連結された主動軸が回転可能に設置され、前記第二チャンバの中において前記主動軸には前記第一歯車と噛み合った第二歯車が固定的に設置され、前記第一チャンバの頂壁には前記滑り軸受チャンバの中に位置した長棒が固定的に設置され、前記長棒の底面には電球が固定的に設置され、前記頂棒の中には上下に貫通したケーブル溝が設置され、前記ケーブル溝の中には前記電球と通電可能に連結された電線が設置され、前記長棒の外表面には水晶セードが固定的に設置され、前記水晶セードの底面には汚れ収集機構が固定的に設置され、前記水晶セードの頂端に位置した前記長棒の中には外方に開口した第一環状回転溝が設置され、前記第一環状回転溝の中には第一円環が回転可能に設置され、前記第一円環の左側には外方に開口した凹み溝が設置され、前記凹み溝の前後端壁の間には回転軸が回転可能に設置され、前記回転軸には弧状棒が固定的に設置され、前記弧状棒の内側には前記水晶セードの外表面と接触するブラシが固定的に設置され、前記弧状棒の外側端壁には第一弧状磁石シートが固定的に設置され、前記前記滑り軸受の左側端壁の中には下方に開口したスライド溝が設置され、前記スライド溝の頂壁には電磁石が固定的に設置され、前記スライド溝の中には磁石ブロックがスライド可能に設置され、前記磁石ブロックと前記電磁石の底面との間には第一ばねが連結され、前記電磁石と前記第一弧状磁石シートの外表面との間には鋼線が連結されていることで、前記モータが前記第二歯車を駆動して回転させ、前記第二歯車が前記第一歯車と前記滑り軸受を回転連動させ、前記磁石ブロックが前記鋼線により前記弧状棒を回転連動させ、前記弧状棒と前記ブラシとが前記水晶セードの外表面で前記長棒の中心を回って埃を除くことを特徴とする水晶セード。
【請求項２】
前記水滴り機構は前記水溝を含み、前記水溝の中の前記主動軸にはカムが固定的に設置され、前記水溝の中には前記カムと接触するピストンがスライド可能に設置され、前記ピストンと前記水溝の左端壁との間には第二ばねが連結され、前記水溝の右側には吸水パイプが設置され、前記水溝と前記第一チャンバとの間には出水穴が連通するように設置され、前記出水穴の中には圧力バルブが固定的に設置され、前記滑り軸受の右端壁の中には上下に貫通した滴りパイプが設置され、前記滴りパイプと前記出水穴との間には弾性パイプが連通するように設置され、前記滴りパイプの底端には滴りヘッドが固定的に設置されていることで、前記モータが前記カムを駆動して回転させて前記ピストンを左右にスライドさせ、前記水溝の中の水が前記圧力バルブにより前記滴りパイプの中に押され、最後前記滴りヘッドにより水を前記水晶セードの外表面に落として埃の洗浄に補助することを特徴とする請求項１に記載の水晶セード。
【請求項３】
前記汚れ収集機構は前記水晶セードの底面に固定された第二円環を含み、前記第二円環の中には上下に貫通した環状通し溝が設置され、前記環状通し溝に汚れ収集環を装着でき、前記環状通し溝の内側端壁には上方に開口した第二環状回転溝が設置され、前記第二環状回転溝の中にはスライダーがスライド可能に設置され、前記スライダーの頂面には前記第一弧状磁石シートと吸引し合う第二弧状磁石シートが固定的に設置され、前記第二弧状磁石シートの外側には前記水晶セードの内表面と接触する洗浄布が固定的に設置されていることで、前記第一弧状磁石シートが前記第二弧状磁石シートを旋転連動させて前記水晶セードの内表面の汚れを拭き落とすと同時に、前記水晶セードの外表面の汚水が前記汚れ収集リングの中に統一に収集されることを特徴とする請求項１に記載の水晶セード。
【発明の詳細な説明】
【技術分野】
【０００１】
本発明はシャンデリア分野に関し、具体的には水晶セードに関する。
【背景技術】
【０００２】
一般にシャンデリアのセードをしばらく使用した後、セードの外表面に埃が積み、特に水晶セードはその外表面に凹凸があるため、一般のセードより埃が積みやすい。また、掃除するときにスピードが早ければ埃が飛ばなく、一回に集めて処分するのが便利であり、そのため、水晶セードをデザインして上記の問題を解決する必要がある。
【先行技術文献】
【特許文献】
【０００３】
【特許文献１】中国特許出願公開第104279535号明細書
【発明の概要】
【発明が解決しようとする課題】
【０００４】
本発明の目的は水晶セードを提供し、それは上記の現在の技術中の問題を解決できる。
【課題を解決するための手段】
【０００５】
上記の課題を解決するため、本発明は以下の技術プランを採用する：水晶セードは、天井を含み、前記天井の中に装着ブロックを装着でき、前記装着ブロックの中には下方に開口した第一チャンバが設置され、前記第一チャンバの中には滑り軸受が回転可能に設置され、前記滑り軸受の中には上下に貫通した滑り軸受チャンバが設置され、前記第一チャンバの外側には回転チャンバが連通するように設置され、前記滑り軸受の外表面には前記回転チャンバの中に位置した第一歯車が固定的に設置され、前記回転チャンバの左側端壁には第二チャンバが連通するように設置され、前記第二チャンバの底壁にはモータが固定的に設置され、前記第二チャンバの頂壁には水溝が設置され、前記水溝の中には水滴り機構が設置され、前記水溝と前記第二チャンバとの間には前記モータと伝動可能に連結された主動軸が回転可能に設置され、前記第二チャンバの中において前記主動軸には前記第一歯車と噛み合った第二歯車が固定的に設置され、前記第一チャンバの頂壁には前記滑り軸受チャンバの中に位置した長棒が固定的に設置され、前記長棒の底面には電球が固定的に設置され、前記頂棒の中には上下に貫通したケーブル溝が設置され、前記ケーブル溝の中には前記電球と通電可能に連結された電線が設置され、前記長棒の外表面には水晶セードが固定的に設置され、前記水晶セードの底面には汚れ収集機構が固定的に設置され、前記水晶セードの頂端に位置した前記長棒の中には外方に開口した第一環状回転溝が設置され、前記第一環状回転溝の中には第一円環が回転可能に設置され、前記第一円環の左側には外方に開口した凹み溝が設置され、前記凹み溝の前後端壁の間には回転軸が回転可能に設置され、前記回転軸には弧状棒が固定的に設置され、前記弧状棒の内側には前記水晶セードの外表面と接触するブラシが固定的に設置され、前記弧状棒の外側端壁には第一弧状磁石シートが固定的に設置され、前記前記滑り軸受の左側端壁の中には下方に開口したスライド溝が設置され、前記スライド溝の頂壁には電磁石が固定的に設置され、前記スライド溝の中には磁石ブロックがスライド可能に設置され、前記磁石ブロックと前記電磁石の底面との間には第一ばねが連結され、前記電磁石と前記第一弧状磁石シートの外表面との間には鋼線が連結されていることで、前記モータが前記第二歯車を駆動して回転させ、前記第二歯車が前記第一歯車と前記滑り軸受を回転連動させ、前記磁石ブロックが前記鋼線により前記弧状棒を回転連動させ、前記弧状棒と前記ブラシとが前記水晶セードの外表面で前記長棒の中心を回って埃を除く。
【０００６】
優選的には、前記水滴り機構は前記水溝を含み、前記水溝の中の前記主動軸にはカムが固定的に設置され、前記水溝の中には前記カムと接触するピストンがスライド可能に設置され、前記ピストンと前記水溝の左端壁との間には第二ばねが連結され、前記水溝の右側には吸水パイプが設置され、前記水溝と前記第一チャンバとの間には出水穴が連通するように設置され、前記出水穴の中には圧力バルブが固定的に設置され、前記滑り軸受の右端壁の中には上下に貫通した滴りパイプが設置され、前記滴りパイプと前記出水穴との間には弾性パイプが連通するように設置され、前記滴りパイプの底端には滴りヘッドが固定的に設置されていることで、前記モータが前記カムを駆動して回転させて前記ピストンを左右にスライドさせ、前記水溝の中の水が前記圧力バルブにより前記滴りパイプの中に押され、最後前記滴りヘッドにより水を前記水晶セードの外表面に落として埃の洗浄に補助する。
【０００７】
前記汚れ収集機構は前記水晶セードの底面に固定された第二円環を含み、前記第二円環の中には上下に貫通した環状通し溝が設置され、前記環状通し溝に汚れ収集環を装着でき、前記環状通し溝の内側端壁には上方に開口した第二環状回転溝が設置され、前記第二環状回転溝の中にはスライダーがスライド可能に設置され、前記スライダーの頂面には前記第一弧状磁石シートと吸引し合う第二弧状磁石シートが固定的に設置され、前記第二弧状磁石シートの外側には前記水晶セードの内表面と接触する洗浄布が固定的に設置されていることで、前記第一弧状磁石シートが前記第二弧状磁石シートを旋転連動させて前記水晶セードの内表面の汚れを拭き落とすと同時に、前記水晶セードの外表面の汚水が前記汚れ収集リングの中に統一に収集される。
【発明の効果】
【０００８】
以上により、本発明の水晶セードは、反応が速やかで、便利且つ快速である。同時に、本発明の装置は内外を同時に洗浄でき、効果が著しく、操作が簡単である。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の水晶セードの全体構造図
【図２】図２は図１におけるＡ―Ａの構造図
【図３】図３は図１におけるＢの拡大構造図
【図４】図４は図１におけるＣの拡大構造図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜４が示すように、本発明の水晶セードは、天井１０を含み、前記天井１０の中に装着ブロック１５を装着でき、前記装着ブロック１５の中には下方に開口した第一チャンバ２１が設置され、前記第一チャンバ２１の中には滑り軸受２２が回転可能に設置され、前記滑り軸受２２の中には上下に貫通した滑り軸受チャンバ３６が設置され、前記第一チャンバ２１の外側には回転チャンバ２０が連通するように設置され、前記滑り軸受２２の外表面には前記回転チャンバ２０の中に位置した第一歯車３７が固定的に設置され、前記回転チャンバ２０の左側端壁には第二チャンバ１８が連通するように設置され、前記第二チャンバ１８の底壁にはモータ１９が固定的に設置され、前記第二チャンバ１８の頂壁には水溝１１が設置され、前記水溝１１の中には水滴り機構９１が設置され、前記水溝１１と前記第二チャンバ１８との間には前記モータ１９と伝動可能に連結された主動軸１６が回転可能に設置され、前記第二チャンバ１８の中において前記主動軸１６には前記第一歯車３７と噛み合った第二歯車１７が固定的に設置され、前記第一チャンバ２１の頂壁には前記滑り軸受チャンバ３６の中に位置した長棒２９が固定的に設置され、前記長棒２９の底面には電球３０が固定的に設置され、前記頂棒２９の中には上下に貫通したケーブル溝４１が設置され、前記ケーブル溝４１の中には前記電球３０と通電可能に連結された電線４２が設置され、前記長棒２９の外表面には水晶セード２４が固定的に設置され、前記水晶セード２４の底面には汚れ収集機構９０が固定的に設置され、前記水晶セード２４の頂端に位置した前記長棒２９の中には外方に開口した第一環状回転溝４９が設置され、前記第一環状回転溝４９の中には第一円環５９が回転可能に設置され、前記第一円環５９の左側には外方に開口した凹み溝４４が設置され、前記凹み溝４４の前後端壁の間には回転軸４５が回転可能に設置され、前記回転軸４５には弧状棒４７が固定的に設置され、前記弧状棒４７の内側には前記水晶セード２４の外表面と接触するブラシ４８が固定的に設置され、前記弧状棒４７の外側端壁には第一弧状磁石シート４６が固定的に設置され、前記前記滑り軸受２２の左側端壁の中には下方に開口したスライド溝３８が設置され、前記スライド溝３８の頂壁には電磁石２３が固定的に設置され、前記スライド溝３８の中には磁石ブロック４０がスライド可能に設置され、前記磁石ブロック４０と前記電磁石２３の底面との間には第一ばね３９が連結され、前記電磁石４０と前記第一弧状磁石シート４６の外表面との間には鋼線４３が連結されていることで、前記モータ１９が前記第二歯車１７を駆動して回転させ、前記第二歯車１７が前記第一歯車３７と前記滑り軸受２２を回転連動させ、前記磁石ブロック４０が前記鋼線４３により前記弧状棒４７を回転連動させ、前記弧状棒４７と前記ブラシ４８とが前記水晶セード２４の外表面で前記長棒２９の中心を回って埃を除く。
【００１３】
有益的には、前記水滴り機構９１は前記水溝１１を含み、前記水溝１１の中の前記主動軸１６にはカム１３が固定的に設置され、前記水溝１１の中には前記カム１３と接触するピストン１４がスライド可能に設置され、前記ピストン１４と前記水溝１１の左端壁との間には第二ばね１２が連結され、前記水溝１１の右側には吸水パイプ５１が設置され、前記水溝１１と前記第一チャンバ２１との間には出水穴５２が連通するように設置され、前記出水穴５２の中には圧力バルブ５３が固定的に設置され、前記滑り軸受２２の右端壁の中には上下に貫通した滴りパイプ５４が設置され、前記滴りパイプ５４と前記出水穴５２との間には弾性パイプ５５が連通するように設置され、前記滴りパイプ５４の底端には滴りヘッド３５が固定的に設置されていることで、前記モータ１９が前記カム１３を駆動して回転させて前記ピストン１４を左右にスライドさせ、前記水溝１１の中の水が前記圧力バルブ５３により前記滴りパイプ５４の中に押され、最後前記滴りヘッド３５により水を前記水晶セード２４の外表面に落として埃の洗浄に補助する。
【００１４】
有益的には、前記汚れ収集機構９０は前記水晶セード２４の底面に固定された第二円環２７を含み、前記第二円環２７の中には上下に貫通した環状通し溝３４が設置され、前記環状通し溝３４に汚れ収集環３２を装着でき、前記環状通し溝３４の内側端壁には上方に開口した第二環状回転溝３１が設置され、前記第二環状回転溝３１の中にはスライダー２８がスライド可能に設置され、前記スライダー２８の頂面には前記第一弧状磁石シート４６と吸引し合う第二弧状磁石シート２６が固定的に設置され、前記第二弧状磁石シート２６の外側には前記水晶セード２４の内表面と接触する洗浄布２５が固定的に設置されていることで、前記第一弧状磁石シート４６が前記第二弧状磁石シート２６を旋転連動させて前記水晶セード２４の内表面の汚れを拭き落とすと同時に、前記水晶セード２４の外表面の汚水が前記汚れ収集リング３２の中に統一に収集される。
【００１５】
下記に、図面及び上記の本願発明の水晶セードの具体的な構成を合わせて使用方法を紹介する：
【００１６】
埃を除く時、前記モータ１９を起動させ、前記モータ１９が前記第二歯車１７と前記カム１３とを回転連動させ、前記第二歯車１７が前記第一歯車３７と前記滑り軸受２２とを回転連動させ、この時前記磁石ブロック４０が前記鋼線４３により前記弧状棒４７を回転連動させ、前記弧状棒４７と前記ブラシ４８が前記水晶セード２４の外表面で前記長棒２９を回って旋転して埃を拭き落とし、同時に前記第一弧状磁石シート４６が前記第二弧状磁石シート２６に吸着して前記洗浄布２５を前記水晶セード２４の内表面で回転させて洗浄を行う。
【００１７】
それと同時に、前記モータ１９が前記カム１３を回転駆動して前記ピストン１４を左右にスライド連動させ、前記水溝１１の中の水が前記圧力バルブ５３により前記滴りパイプ５４の中に押され、最後に前記滴りヘッド３５により水を前記水晶セード２４の外表面に落として埃を除くことに補助し、内外を同時に洗浄し、効果が著しい。
【００１８】
埃を除く時、前記水晶セード２４の外表面の汚水が自動的に前記汚れ収集環３２の中に流れ込み、統一に処分でき、装置が簡潔であり、また、前記ブラシ４８を消耗しすぎて取り替えをする時、前記電磁石２３を起動することで、前記弧状棒４７が前記回転軸４５を回って回転して上がり、この時自由に前記ブラシ４８を変更でき、便利で簡単である。
【００１９】
以上により、本発明の水晶セードは、反応が速やかで、便利且つ快速である。同時に、本発明の装置は内外を同時に洗浄でき、効果が著しく、操作が簡単である。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020177898.tif 000003
【図２】
2020177898.tif 000004
【図３】
2020177898.tif 000005
【図４】
2020177898.tif 000006
【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
正面視で、天井を含み、前記天井の中に装着ブロックを装着でき、前記装着ブロックの中には下方に開口した第一チャンバが設置され、前記第一チャンバの中には滑り軸受が回転可能に設置され、前記滑り軸受の中には上下に貫通した滑り軸受チャンバが設置され、前記第一チャンバの外側には回転チャンバが連通するように設置され、前記滑り軸受の外表面には前記回転チャンバの中に位置した第一歯車が固定的に設置され、前記回転チャンバの左側端壁には第二チャンバが連通するように設置され、前記第二チャンバの底壁にはモータが固定的に設置され、前記第二チャンバの頂壁には水溝が設置され、前記水溝の中には水滴り機構が設置され、前記水溝と前記第二チャンバとの間には前記モータと伝動可能に連結された主動軸が回転可能に設置され、前記第二チャンバの中において前記主動軸には前記第一歯車と噛み合った第二歯車が固定的に設置され、前記第一チャンバの頂壁には前記滑り軸受チャンバの中に位置した長棒が固定的に設置され、前記長棒の底面には電球が固定的に設置され、前記長棒の中には上下に貫通したケーブル溝が設置され、前記ケーブル溝の中には前記電球と通電可能に連結された電線が設置され、前記長棒の外表面には水晶セードが固定的に設置され、前記水晶セードの底面には汚れ収集機構が固定的に設置され、前記水晶セードの頂端に位置した前記長棒の中には外方に開口した第一環状回転溝が設置され、前記第一環状回転溝の中には第一円環が回転可能に設置され、前記第一円環の左側には外方に開口した凹み溝が設置され、前記凹み溝の前後端壁の間には回転軸が回転可能に設置され、前記回転軸には弧状棒が固定的に設置され、前記弧状棒の内側には前記水晶セードの外表面と接触するブラシが固定的に設置され、前記弧状棒の外側端壁には第一弧状磁石シートが固定的に設置され、前記滑り軸受の左側端壁の中には下方に開口したスライド溝が設置され、前記スライド溝の頂壁には電磁石が固定的に設置され、前記スライド溝の中には磁石ブロックがスライド可能に設置され、前記磁石ブロックと前記電磁石の底面との間には第一ばねが連結され、前記電磁石と前記第一弧状磁石シートの外表面との間には鋼線が連結されていることで、前記モータが前記第二歯車を駆動して回転させ、前記第二歯車が前記第一歯車と前記滑り軸受を回転連動させ、前記磁石ブロックが前記鋼線により前記弧状棒を回転連動させ、前記弧状棒と前記ブラシとが前記水晶セードの外表面で前記長棒の中心を回って埃を除くことを特徴とする水晶セード。
【請求項２】
前記水滴り機構は前記水溝を含み、前記水溝の中の前記主動軸にはカムが固定的に設置され、前記水溝の中には前記カムと接触するピストンがスライド可能に設置され、前記ピストンと前記水溝の左端壁との間には第二ばねが連結され、前記水溝の右側には吸水パイプが設置され、前記水溝と前記第一チャンバとの間には出水穴が連通するように設置され、前記出水穴の中には圧力バルブが固定的に設置され、前記滑り軸受の右端壁の中には上下に貫通した滴りパイプが設置され、前記滴りパイプと前記出水穴との間には弾性パイプが連通するように設置され、前記滴りパイプの底端には滴りヘッドが固定的に設置されていることで、前記モータが前記カムを駆動して回転させて前記ピストンを左右にスライドさせ、前記水溝の中の水が前記圧力バルブにより前記滴りパイプの中に押され、最後前記滴りヘッドにより水を前記水晶セードの外表面に落として埃の洗浄に補助することを特徴とする請求項１に記載の水晶セード。
【請求項３】
前記汚れ収集機構は前記水晶セードの底面に固定された第二円環を含み、前記第二円環の中には上下に貫通した環状通し溝が設置され、前記環状通し溝に汚れ収集リングを装着でき、前記環状通し溝の内側端壁には上方に開口した第二環状回転溝が設置され、前記第二環状回転溝の中にはスライダーがスライド可能に設置され、前記スライダーの頂面には前記第一弧状磁石シートと吸引し合う第二弧状磁石シートが固定的に設置され、前記第二弧状磁石シートの外側には前記水晶セードの内表面と接触する洗浄布が固定的に設置されていることで、前記第一弧状磁石シートが前記第二弧状磁石シートを旋転連動させて前記水晶セードの内表面の汚れを拭き落とすと同時に、前記水晶セードの外表面の汚水が前記汚れ収集リングの中に統一に収集されることを特徴とする請求項１に記載の水晶セード。
【手続補正２】
【補正対象書類名】明細書
【補正対象項目名】全文
【補正方法】変更
【補正の内容】
【発明の詳細な説明】
【技術分野】
【０００１】
本発明はシャンデリア分野に関し、具体的には水晶セードに関する。
【背景技術】
【０００２】
一般にシャンデリアのセードをしばらく使用した後、セードの外表面に埃が積み、特に水晶セードはその外表面に凹凸があるため、一般のセードより埃が積みやすい。また、掃除するときにスピードが早ければ埃が飛ばなく、一回に集めて処分するのが便利であり、そのため、水晶セードをデザインして上記の問題を解決する必要がある。
【先行技術文献】
【特許文献】
【０００３】
【特許文献１】中国特許出願公開第１０４２７９５３５号明細書
【発明の概要】
【発明が解決しようとする課題】
【０００４】
本発明の目的は水晶セードを提供し、それは上記の現在の技術中の問題を解決できる。
【課題を解決するための手段】
【０００５】
上記の課題を解決するため、本発明は以下の技術プランを採用する：水晶セードは、天井を含み、前記天井の中に装着ブロックを装着でき、前記装着ブロックの中には下方に開口した第一チャンバが設置され、前記第一チャンバの中には滑り軸受が回転可能に設置され、前記滑り軸受の中には上下に貫通した滑り軸受チャンバが設置され、前記第一チャンバの外側には回転チャンバが連通するように設置され、前記滑り軸受の外表面には前記回転チャンバの中に位置した第一歯車が固定的に設置され、前記回転チャンバの左側端壁には第二チャンバが連通するように設置され、前記第二チャンバの底壁にはモータが固定的に設置され、前記第二チャンバの頂壁には水溝が設置され、前記水溝の中には水滴り機構が設置され、前記水溝と前記第二チャンバとの間には前記モータと伝動可能に連結された主動軸が回転可能に設置され、前記第二チャンバの中において前記主動軸には前記第一歯車と噛み合った第二歯車が固定的に設置され、前記第一チャンバの頂壁には前記滑り軸受チャンバの中に位置した長棒が固定的に設置され、前記長棒の底面には電球が固定的に設置され、前記長棒の中には上下に貫通したケーブル溝が設置され、前記ケーブル溝の中には前記電球と通電可能に連結された電線が設置され、前記長棒の外表面には水晶セードが固定的に設置され、前記水晶セードの底面には汚れ収集機構が固定的に設置され、前記水晶セードの頂端に位置した前記長棒の中には外方に開口した第一環状回転溝が設置され、前記第一環状回転溝の中には第一円環が回転可能に設置され、前記第一円環の左側には外方に開口した凹み溝が設置され、前記凹み溝の前後端壁の間には回転軸が回転可能に設置され、前記回転軸には弧状棒が固定的に設置され、前記弧状棒の内側には前記水晶セードの外表面と接触するブラシが固定的に設置され、前記弧状棒の外側端壁には第一弧状磁石シートが固定的に設置され、前記滑り軸受の左側端壁の中には下方に開口したスライド溝が設置され、前記スライド溝の頂壁には電磁石が固定的に設置され、前記スライド溝の中には磁石ブロックがスライド可能に設置され、前記磁石ブロックと前記電磁石の底面との間には第一ばねが連結され、前記電磁石と前記第一弧状磁石シートの外表面との間には鋼線が連結されていることで、前記モータが前記第二歯車を駆動して回転させ、前記第二歯車が前記第一歯車と前記滑り軸受を回転連動させ、前記磁石ブロックが前記鋼線により前記弧状棒を回転連動させ、前記弧状棒と前記ブラシとが前記水晶セードの外表面で前記長棒の中心を回って埃を除く。
【０００６】
優選的には、前記水滴り機構は前記水溝を含み、前記水溝の中の前記主動軸にはカムが固定的に設置され、前記水溝の中には前記カムと接触するピストンがスライド可能に設置され、前記ピストンと前記水溝の左端壁との間には第二ばねが連結され、前記水溝の右側には吸水パイプが設置され、前記水溝と前記第一チャンバとの間には出水穴が連通するように設置され、前記出水穴の中には圧力バルブが固定的に設置され、前記滑り軸受の右端壁の中には上下に貫通した滴りパイプが設置され、前記滴りパイプと前記出水穴との間には弾性パイプが連通するように設置され、前記滴りパイプの底端には滴りヘッドが固定的に設置されていることで、前記モータが前記カムを駆動して回転させて前記ピストンを左右にスライドさせ、前記水溝の中の水が前記圧力バルブにより前記滴りパイプの中に押され、最後前記滴りヘッドにより水を前記水晶セードの外表面に落として埃の洗浄に補助する。
【０００７】
前記汚れ収集機構は前記水晶セードの底面に固定された第二円環を含み、前記第二円環の中には上下に貫通した環状通し溝が設置され、前記環状通し溝に汚れ収集リングを装着でき、前記環状通し溝の内側端壁には上方に開口した第二環状回転溝が設置され、前記第二環状回転溝の中にはスライダーがスライド可能に設置され、前記スライダーの頂面には前記第一弧状磁石シートと吸引し合う第二弧状磁石シートが固定的に設置され、前記第二弧状磁石シートの外側には前記水晶セードの内表面と接触する洗浄布が固定的に設置されていることで、前記第一弧状磁石シートが前記第二弧状磁石シートを旋転連動させて前記水晶セードの内表面の汚れを拭き落とすと同時に、前記水晶セードの外表面の汚水が前記汚れ収集リングの中に統一に収集される。
【発明の効果】
【０００８】
以上により、本発明の水晶セードは、反応が速やかで、便利且つ快速である。同時に、本発明の装置は内外を同時に洗浄でき、効果が著しく、操作が簡単である。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の水晶セードの全体構造図
【図２】図２は図１におけるＡ―Ａの構造図
【図３】図３は図１におけるＢの拡大構造図
【図４】図４は図１におけるＣの拡大構造図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜４が示すように、本発明の水晶セードは、天井１０を含み、前記天井１０の中に装着ブロック１５を装着でき、前記装着ブロック１５の中には下方に開口した第一チャンバ２１が設置され、前記第一チャンバ２１の中には滑り軸受２２が回転可能に設置され、前記滑り軸受２２の中には上下に貫通した滑り軸受チャンバ３６が設置され、前記第一チャンバ２１の外側には回転チャンバ２０が連通するように設置され、前記滑り軸受２２の外表面には前記回転チャンバ２０の中に位置した第一歯車３７が固定的に設置され、前記回転チャンバ２０の左側端壁には第二チャンバ１８が連通するように設置され、前記第二チャンバ１８の底壁にはモータ１９が固定的に設置され、前記第二チャンバ１８の頂壁には水溝１１が設置され、前記水溝１１の中には水滴り機構９１が設置され、前記水溝１１と前記第二チャンバ１８との間には前記モータ１９と伝動可能に連結された主動軸１６が回転可能に設置され、前記第二チャンバ１８の中において前記主動軸１６には前記第一歯車３７と噛み合った第二歯車１７が固定的に設置され、前記第一チャンバ２１の頂壁には前記滑り軸受チャンバ３６の中に位置した長棒２９が固定的に設置され、前記長棒２９の底面には電球３０が固定的に設置され、前記長棒２９の中には上下に貫通したケーブル溝４１が設置され、前記ケーブル溝４１の中には前記電球３０と通電可能に連結された電線４２が設置され、前記長棒２９の外表面には水晶セード２４が固定的に設置され、前記水晶セード２４の底面には汚れ収集機構９０が固定的に設置され、前記水晶セード２４の頂端に位置した前記長棒２９の中には外方に開口した第一環状回転溝４９が設置され、前記第一環状回転溝４９の中には第一円環５９が回転可能に設置され、前記第一円環５９の左側には外方に開口した凹み溝４４が設置され、前記凹み溝４４の前後端壁の間には回転軸４５が回転可能に設置され、前記回転軸４５には弧状棒４７が固定的に設置され、前記弧状棒４７の内側には前記水晶セード２４の外表面と接触するブラシ４８が固定的に設置され、前記弧状棒４７の外側端壁には第一弧状磁石シート４６が固定的に設置され、前記滑り軸受２２の左側端壁の中には下方に開口したスライド溝３８が設置され、前記スライド溝３８の頂壁には電磁石２３が固定的に設置され、前記スライド溝３８の中には磁石ブロック４０がスライド可能に設置され、前記磁石ブロック４０と前記電磁石２３の底面との間には第一ばね３９が連結され、前記電磁石４０と前記第一弧状磁石シート４６の外表面との間には鋼線４３が連結されていることで、前記モータ１９が前記第二歯車１７を駆動して回転させ、前記第二歯車１７が前記第一歯車３７と前記滑り軸受２２を回転連動させ、前記磁石ブロック４０が前記鋼線４３により前記弧状棒４７を回転連動させ、前記弧状棒４７と前記ブラシ４８とが前記水晶セード２４の外表面で前記長棒２９の中心を回って埃を除く。
【００１３】
有益的には、前記水滴り機構９１は前記水溝１１を含み、前記水溝１１の中の前記主動軸１６にはカム１３が固定的に設置され、前記水溝１１の中には前記カム１３と接触するピストン１４がスライド可能に設置され、前記ピストン１４と前記水溝１１の左端壁との間には第二ばね１２が連結され、前記水溝１１の右側には吸水パイプ５１が設置され、前記水溝１１と前記第一チャンバ２１との間には出水穴５２が連通するように設置され、前記出水穴５２の中には圧力バルブ５３が固定的に設置され、前記滑り軸受２２の右端壁の中には上下に貫通した滴りパイプ５４が設置され、前記滴りパイプ５４と前記出水穴５２との間には弾性パイプ５５が連通するように設置され、前記滴りパイプ５４の底端には滴りヘッド３５が固定的に設置されていることで、前記モータ１９が前記カム１３を駆動して回転させて前記ピストン１４を左右にスライドさせ、前記水溝１１の中の水が前記圧力バルブ５３により前記滴りパイプ５４の中に押され、最後前記滴りヘッド３５により水を前記水晶セード２４の外表面に落として埃の洗浄に補助する。
【００１４】
有益的には、前記汚れ収集機構９０は前記水晶セード２４の底面に固定された第二円環２７を含み、前記第二円環２７の中には上下に貫通した環状通し溝３４が設置され、前記環状通し溝３４に汚れ収集リング３２を装着でき、前記環状通し溝３４の内側端壁には上方に開口した第二環状回転溝３１が設置され、前記第二環状回転溝３１の中にはスライダー２８がスライド可能に設置され、前記スライダー２８の頂面には前記第一弧状磁石シート４６と吸引し合う第二弧状磁石シート２６が固定的に設置され、前記第二弧状磁石シート２６の外側には前記水晶セード２４の内表面と接触する洗浄布２５が固定的に設置されていることで、前記第一弧状磁石シート４６が前記第二弧状磁石シート２６を旋転連動させて前記水晶セード２４の内表面の汚れを拭き落とすと同時に、前記水晶セード２４の外表面の汚水が前記汚れ収集リング３２の中に統一に収集される。
【００１５】
下記に、図面及び上記の本願発明の水晶セードの具体的な構成を合わせて使用方法を紹介する：
【００１６】
埃を除く時、前記モータ１９を起動させ、前記モータ１９が前記第二歯車１７と前記カム１３とを回転連動させ、前記第二歯車１７が前記第一歯車３７と前記滑り軸受２２とを回転連動させ、この時前記磁石ブロック４０が前記鋼線４３により前記弧状棒４７を回転連動させ、前記弧状棒４７と前記ブラシ４８が前記水晶セード２４の外表面で前記長棒２９を回って旋転して埃を拭き落とし、同時に前記第一弧状磁石シート４６が前記第二弧状磁石シート２６に吸着して前記洗浄布２５を前記水晶セード２４の内表面で回転させて洗浄を行う。
【００１７】
それと同時に、前記モータ１９が前記カム１３を回転駆動して前記ピストン１４を左右にスライド連動させ、前記水溝１１の中の水が前記圧力バルブ５３により前記滴りパイプ５４の中に押され、最後に前記滴りヘッド３５により水を前記水晶セード２４の外表面に落として埃を除くことに補助し、内外を同時に洗浄し、効果が著しい。
【００１８】
埃を除く時、前記水晶セード２４の外表面の汚水が自動的に前記汚れ収集リング３２の中に流れ込み、統一に処分でき、装置が簡潔であり、また、前記ブラシ４８を消耗しすぎて取り替えをする時、前記電磁石２３を起動することで、前記弧状棒４７が前記回転軸４５を回って回転して上がり、この時自由に前記ブラシ４８を変更でき、便利で簡単である。
【００１９】
以上により、本発明の水晶セードは、反応が速やかで、便利且つ快速である。同時に、本発明の装置は内外を同時に洗浄でき、効果が著しく、操作が簡単である。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和1年11月7日(2019.11.7)
【手続補正１】
【補正対象書類名】特許請求の範囲
【補正対象項目名】全文
【補正方法】変更
【補正の内容】
【特許請求の範囲】
【請求項１】
正面視で、天井を含み、前記天井の中に装着ブロックを装着でき、前記装着ブロックの中には下方に開口した第一チャンバが設置され、前記第一チャンバの中には滑り軸受が回転可能に設置され、前記滑り軸受の中には上下に貫通した滑り軸受チャンバが設置され、前記第一チャンバの外側には回転チャンバが連通するように設置され、前記滑り軸受の外表面には前記回転チャンバの中に位置した第一歯車が固定的に設置され、前記回転チャンバの左側端壁には第二チャンバが連通するように設置され、前記第二チャンバの底壁にはモータが固定的に設置され、前記第二チャンバの頂壁には水溝が設置され、前記水溝の中には水滴り機構が設置され、前記水溝と前記第二チャンバとの間には前記モータと伝動可能に連結された主動軸が回転可能に設置され、前記第二チャンバの中において前記主動軸には前記第一歯車と噛み合った第二歯車が固定的に設置され、前記第一チャンバの頂壁には前記滑り軸受チャンバの中に位置した長棒が固定的に設置され、前記長棒の底面には電球が固定的に設置され、前記長棒の中には上下に貫通したケーブル溝が設置され、前記ケーブル溝の中には前記電球と通電可能に連結された電線が設置され、前記長棒の外表面には水晶セードが固定的に設置され、前記水晶セードの底面には汚れ収集機構が固定的に設置され、前記水晶セードの頂端に位置した前記長棒の中には外方に開口した第一環状回転溝が設置され、前記第一環状回転溝の中には第一円環が回転可能に設置され、前記第一円環の左側には外方に開口した凹み溝が設置され、前記凹み溝の前後端壁の間には回転軸が回転可能に設置され、前記回転軸には弧状棒が固定的に設置され、前記弧状棒の内側には前記水晶セードの外表面と接触するブラシが固定的に設置され、前記弧状棒の外側端壁には第一弧状磁石シートが固定的に設置され、前記滑り軸受の左側端壁の中には下方に開口したスライド溝が設置され、前記スライド溝の頂壁には電磁石が固定的に設置され、前記スライド溝の中には磁石ブロックがスライド可能に設置され、前記磁石ブロックと前記電磁石の底面との間には第一ばねが連結され、前記電磁石と前記第一弧状磁石シートの外表面との間には鋼線が連結されていることで、前記モータが前記第二歯車を駆動して回転させ、前記第二歯車が前記第一歯車と前記滑り軸受を回転連動させ、前記磁石ブロックが前記鋼線により前記弧状棒を回転連動させ、前記弧状棒と前記ブラシとが前記水晶セードの外表面で前記長棒の中心を回って埃を除くことを特徴とする水晶セード。
【請求項２】
前記水滴り機構は前記水溝を含み、前記水溝の中の前記主動軸にはカムが固定的に設置され、前記水溝の中には前記カムと接触するピストンがスライド可能に設置され、前記ピストンと前記水溝の左端壁との間には第二ばねが連結され、前記水溝の右側には吸水パイプが設置され、前記水溝と前記第一チャンバとの間には出水穴が連通するように設置され、前記出水穴の中には圧力バルブが固定的に設置され、前記滑り軸受の右端壁の中には上下に貫通した滴りパイプが設置され、前記滴りパイプと前記出水穴との間には弾性パイプが連通するように設置され、前記滴りパイプの底端には滴りヘッドが固定的に設置されていることで、前記モータが前記カムを駆動して回転させて前記ピストンを左右にスライドさせ、前記水溝の中の水が前記圧力バルブにより前記滴りパイプの中に押され、最後前記滴りヘッドにより水を前記水晶セードの外表面に落として埃の洗浄に補助することを特徴とする請求項１に記載の水晶セード。
【請求項３】
前記汚れ収集機構は前記水晶セードの底面に固定された第二円環を含み、前記第二円環の中には上下に貫通した環状通し溝が設置され、前記環状通し溝に汚れ収集リングを装着でき、前記環状通し溝の内側端壁には上方に開口した第二環状回転溝が設置され、前記第二環状回転溝の中にはスライダーがスライド可能に設置され、前記スライダーの頂面には前記第一弧状磁石シートと吸引し合う第二弧状磁石シートが固定的に設置され、前記第二弧状磁石シートの外側には前記水晶セードの内表面と接触する洗浄布が固定的に設置されていることで、前記第一弧状磁石シートが前記第二弧状磁石シートを旋転連動させて前記水晶セードの内表面の汚れを拭き落とすと同時に、前記水晶セードの外表面の汚水が前記汚れ収集リングの中に統一に収集されることを特徴とする請求項１に記載の水晶セード。
【手続補正２】
【補正対象書類名】明細書
【補正対象項目名】全文
【補正方法】変更
【補正の内容】
【発明の詳細な説明】
【技術分野】
【０００１】
本発明はシャンデリア分野に関し、具体的には水晶セードに関する。
【背景技術】
【０００２】
一般にシャンデリアのセードをしばらく使用した後、セードの外表面に埃が積み、特に水晶セードはその外表面に凹凸があるため、一般のセードより埃が積みやすい。また、掃除するときにスピードが早ければ埃が飛ばなく、一回に集めて処分するのが便利であり、そのため、水晶セードをデザインして上記の問題を解決する必要がある。
【先行技術文献】
【特許文献】
【０００３】
【特許文献１】中国特許出願公開第１０４２７９５３５号明細書
【発明の概要】
【発明が解決しようとする課題】
【０００４】
本発明の目的は水晶セードを提供し、それは上記の現在の技術中の問題を解決できる。
【課題を解決するための手段】
【０００５】
上記の課題を解決するため、本発明は以下の技術プランを採用する：水晶セードは、天井を含み、前記天井の中に装着ブロックを装着でき、前記装着ブロックの中には下方に開口した第一チャンバが設置され、前記第一チャンバの中には滑り軸受が回転可能に設置され、前記滑り軸受の中には上下に貫通した滑り軸受チャンバが設置され、前記第一チャンバの外側には回転チャンバが連通するように設置され、前記滑り軸受の外表面には前記回転チャンバの中に位置した第一歯車が固定的に設置され、前記回転チャンバの左側端壁には第二チャンバが連通するように設置され、前記第二チャンバの底壁にはモータが固定的に設置され、前記第二チャンバの頂壁には水溝が設置され、前記水溝の中には水滴り機構が設置され、前記水溝と前記第二チャンバとの間には前記モータと伝動可能に連結された主動軸が回転可能に設置され、前記第二チャンバの中において前記主動軸には前記第一歯車と噛み合った第二歯車が固定的に設置され、前記第一チャンバの頂壁には前記滑り軸受チャンバの中に位置した長棒が固定的に設置され、前記長棒の底面には電球が固定的に設置され、前記長棒の中には上下に貫通したケーブル溝が設置され、前記ケーブル溝の中には前記電球と通電可能に連結された電線が設置され、前記長棒の外表面には水晶セードが固定的に設置され、前記水晶セードの底面には汚れ収集機構が固定的に設置され、前記水晶セードの頂端に位置した前記長棒の中には外方に開口した第一環状回転溝が設置され、前記第一環状回転溝の中には第一円環が回転可能に設置され、前記第一円環の左側には外方に開口した凹み溝が設置され、前記凹み溝の前後端壁の間には回転軸が回転可能に設置され、前記回転軸には弧状棒が固定的に設置され、前記弧状棒の内側には前記水晶セードの外表面と接触するブラシが固定的に設置され、前記弧状棒の外側端壁には第一弧状磁石シートが固定的に設置され、前記滑り軸受の左側端壁の中には下方に開口したスライド溝が設置され、前記スライド溝の頂壁には電磁石が固定的に設置され、前記スライド溝の中には磁石ブロックがスライド可能に設置され、前記磁石ブロックと前記電磁石の底面との間には第一ばねが連結され、前記電磁石と前記第一弧状磁石シートの外表面との間には鋼線が連結されていることで、前記モータが前記第二歯車を駆動して回転させ、前記第二歯車が前記第一歯車と前記滑り軸受を回転連動させ、前記磁石ブロックが前記鋼線により前記弧状棒を回転連動させ、前記弧状棒と前記ブラシとが前記水晶セードの外表面で前記長棒の中心を回って埃を除く。
【０００６】
優選的には、前記水滴り機構は前記水溝を含み、前記水溝の中の前記主動軸にはカムが固定的に設置され、前記水溝の中には前記カムと接触するピストンがスライド可能に設置され、前記ピストンと前記水溝の左端壁との間には第二ばねが連結され、前記水溝の右側には吸水パイプが設置され、前記水溝と前記第一チャンバとの間には出水穴が連通するように設置され、前記出水穴の中には圧力バルブが固定的に設置され、前記滑り軸受の右端壁の中には上下に貫通した滴りパイプが設置され、前記滴りパイプと前記出水穴との間には弾性パイプが連通するように設置され、前記滴りパイプの底端には滴りヘッドが固定的に設置されていることで、前記モータが前記カムを駆動して回転させて前記ピストンを左右にスライドさせ、前記水溝の中の水が前記圧力バルブにより前記滴りパイプの中に押され、最後前記滴りヘッドにより水を前記水晶セードの外表面に落として埃の洗浄に補助する。
【０００７】
前記汚れ収集機構は前記水晶セードの底面に固定された第二円環を含み、前記第二円環の中には上下に貫通した環状通し溝が設置され、前記環状通し溝に汚れ収集リングを装着でき、前記環状通し溝の内側端壁には上方に開口した第二環状回転溝が設置され、前記第二環状回転溝の中にはスライダーがスライド可能に設置され、前記スライダーの頂面には前記第一弧状磁石シートと吸引し合う第二弧状磁石シートが固定的に設置され、前記第二弧状磁石シートの外側には前記水晶セードの内表面と接触する洗浄布が固定的に設置されていることで、前記第一弧状磁石シートが前記第二弧状磁石シートを旋転連動させて前記水晶セードの内表面の汚れを拭き落とすと同時に、前記水晶セードの外表面の汚水が前記汚れ収集リングの中に統一に収集される。
【発明の効果】
【０００８】
以上により、本発明の水晶セードは、反応が速やかで、便利且つ快速である。同時に、本発明の装置は内外を同時に洗浄でき、効果が著しく、操作が簡単である。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の水晶セードの全体構造図
【図２】図２は図１におけるＡ―Ａの構造図
【図３】図３は図１におけるＢの拡大構造図
【図４】図４は図１におけるＣの拡大構造図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜４が示すように、本発明の水晶セードは、天井１０を含み、前記天井１０の中に装着ブロック１５を装着でき、前記装着ブロック１５の中には下方に開口した第一チャンバ２１が設置され、前記第一チャンバ２１の中には滑り軸受２２が回転可能に設置され、前記滑り軸受２２の中には上下に貫通した滑り軸受チャンバ３６が設置され、前記第一チャンバ２１の外側には回転チャンバ２０が連通するように設置され、前記滑り軸受２２の外表面には前記回転チャンバ２０の中に位置した第一歯車３７が固定的に設置され、前記回転チャンバ２０の左側端壁には第二チャンバ１８が連通するように設置され、前記第二チャンバ１８の底壁にはモータ１９が固定的に設置され、前記第二チャンバ１８の頂壁には水溝１１が設置され、前記水溝１１の中には水滴り機構９１が設置され、前記水溝１１と前記第二チャンバ１８との間には前記モータ１９と伝動可能に連結された主動軸１６が回転可能に設置され、前記第二チャンバ１８の中において前記主動軸１６には前記第一歯車３７と噛み合った第二歯車１７が固定的に設置され、前記第一チャンバ２１の頂壁には前記滑り軸受チャンバ３６の中に位置した長棒２９が固定的に設置され、前記長棒２９の底面には電球３０が固定的に設置され、前記長棒２９の中には上下に貫通したケーブル溝４１が設置され、前記ケーブル溝４１の中には前記電球３０と通電可能に連結された電線４２が設置され、前記長棒２９の外表面には水晶セード２４が固定的に設置され、前記水晶セード２４の底面には汚れ収集機構９０が固定的に設置され、前記水晶セード２４の頂端に位置した前記長棒２９の中には外方に開口した第一環状回転溝４９が設置され、前記第一環状回転溝４９の中には第一円環５９が回転可能に設置され、前記第一円環５９の左側には外方に開口した凹み溝４４が設置され、前記凹み溝４４の前後端壁の間には回転軸４５が回転可能に設置され、前記回転軸４５には弧状棒４７が固定的に設置され、前記弧状棒４７の内側には前記水晶セード２４の外表面と接触するブラシ４８が固定的に設置され、前記弧状棒４７の外側端壁には第一弧状磁石シート４６が固定的に設置され、前記滑り軸受２２の左側端壁の中には下方に開口したスライド溝３８が設置され、前記スライド溝３８の頂壁には電磁石２３が固定的に設置され、前記スライド溝３８の中には磁石ブロック４０がスライド可能に設置され、前記磁石ブロック４０と前記電磁石２３の底面との間には第一ばね３９が連結され、前記電磁石４０と前記第一弧状磁石シート４６の外表面との間には鋼線４３が連結されていることで、前記モータ１９が前記第二歯車１７を駆動して回転させ、前記第二歯車１７が前記第一歯車３７と前記滑り軸受２２を回転連動させ、前記磁石ブロック４０が前記鋼線４３により前記弧状棒４７を回転連動させ、前記弧状棒４７と前記ブラシ４８とが前記水晶セード２４の外表面で前記長棒２９の中心を回って埃を除く。
【００１３】
有益的には、前記水滴り機構９１は前記水溝１１を含み、前記水溝１１の中の前記主動軸１６にはカム１３が固定的に設置され、前記水溝１１の中には前記カム１３と接触するピストン１４がスライド可能に設置され、前記ピストン１４と前記水溝１１の左端壁との間には第二ばね１２が連結され、前記水溝１１の右側には吸水パイプ５１が設置され、前記水溝１１と前記第一チャンバ２１との間には出水穴５２が連通するように設置され、前記出水穴５２の中には圧力バルブ５３が固定的に設置され、前記滑り軸受２２の右端壁の中には上下に貫通した滴りパイプ５４が設置され、前記滴りパイプ５４と前記出水穴５２との間には弾性パイプ５５が連通するように設置され、前記滴りパイプ５４の底端には滴りヘッド３５が固定的に設置されていることで、前記モータ１９が前記カム１３を駆動して回転させて前記ピストン１４を左右にスライドさせ、前記水溝１１の中の水が前記圧力バルブ５３により前記滴りパイプ５４の中に押され、最後前記滴りヘッド３５により水を前記水晶セード２４の外表面に落として埃の洗浄に補助する。
【００１４】
有益的には、前記汚れ収集機構９０は前記水晶セード２４の底面に固定された第二円環２７を含み、前記第二円環２７の中には上下に貫通した環状通し溝３４が設置され、前記環状通し溝３４に汚れ収集リング３２を装着でき、前記環状通し溝３４の内側端壁には上方に開口した第二環状回転溝３１が設置され、前記第二環状回転溝３１の中にはスライダー２８がスライド可能に設置され、前記スライダー２８の頂面には前記第一弧状磁石シート４６と吸引し合う第二弧状磁石シート２６が固定的に設置され、前記第二弧状磁石シート２６の外側には前記水晶セード２４の内表面と接触する洗浄布２５が固定的に設置されていることで、前記第一弧状磁石シート４６が前記第二弧状磁石シート２６を旋転連動させて前記水晶セード２４の内表面の汚れを拭き落とすと同時に、前記水晶セード２４の外表面の汚水が前記汚れ収集リング３２の中に統一に収集される。
【００１５】
下記に、図面及び上記の本願発明の水晶セードの具体的な構成を合わせて使用方法を紹介する：
【００１６】
埃を除く時、前記モータ１９を起動させ、前記モータ１９が前記第二歯車１７と前記カム１３とを回転連動させ、前記第二歯車１７が前記第一歯車３７と前記滑り軸受２２とを回転連動させ、この時前記磁石ブロック４０が前記鋼線４３により前記弧状棒４７を回転連動させ、前記弧状棒４７と前記ブラシ４８が前記水晶セード２４の外表面で前記長棒２９を回って旋転して埃を拭き落とし、同時に前記第一弧状磁石シート４６が前記第二弧状磁石シート２６に吸着して前記洗浄布２５を前記水晶セード２４の内表面で回転させて洗浄を行う。
【００１７】
それと同時に、前記モータ１９が前記カム１３を回転駆動して前記ピストン１４を左右にスライド連動させ、前記水溝１１の中の水が前記圧力バルブ５３により前記滴りパイプ５４の中に押され、最後に前記滴りヘッド３５により水を前記水晶セード２４の外表面に落として埃を除くことに補助し、内外を同時に洗浄し、効果が著しい。
【００１８】
埃を除く時、前記水晶セード２４の外表面の汚水が自動的に前記汚れ収集リング３２の中に流れ込み、統一に処分でき、装置が簡潔であり、また、前記ブラシ４８を消耗しすぎて取り替えをする時、前記電磁石２３を起動することで、前記弧状棒４７が前記回転軸４５を回って回転して上がり、この時自由に前記ブラシ４８を変更でき、便利で簡単である。
【００１９】
以上により、本発明の水晶セードは、反応が速やかで、便利且つ快速である。同時に、本発明の装置は内外を同時に洗浄でき、効果が著しく、操作が簡単である。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。